(57)【要約】【課題】車両の乗員に乗車用ヘルメットの着用を促すことができる車両用盗難防止装置を提供する。【解決手段】自動二輪車１に取り付けられる車体側イモビライザユニット５０は、ヘルメット３０に取り付けられるヘルメット側イモビライザユニット４０から発信されるＩＤコードを含む信号を受信する。自動二輪車１のエンジン８を運転制御するエンジン制御部１２は、ＩＤコードが正しく照合されるとエンジンの始動を許可するように構成される。ヘルメット側イモビライザユニット４０およびループアンテナ４５はヘルメット３０の帽体に内設される。また、ヘルメット３０の収容位置の近傍に降車時用の車体側イモビライザユニットを備え、該ユニットとヘルメット側イモビライザユニット４０との無線通信が行われてＩＤコードが正しく照合されると、エンジン８の始動を禁止するように構成してもよい。【選択図】図３
2008179274.tif 000002
【特許請求の範囲】
【請求項１】
自動二輪車の車体に取り付けられる車体側通信装置と、
乗車用ヘルメットに取り付けられるヘルメット側通信装置と、
前記自動二輪車の動力源を運転制御する制御部とを具備し、
前記車体側通信装置は、前記ヘルメット側通信装置から発信される前記自動二輪車に固有の識別コードを含む信号を受信し、
前記制御部は、前記識別コードが正しく照合されることにより前記動力源の始動を許可するように構成されていることを特徴とする車両用盗難防止装置。
【請求項２】
前記ヘルメット側通信装置は、前記乗車用ヘルメットの帽体に内設されていることを特徴とする請求項１に記載の車両用盗難防止装置。
【請求項３】
前記乗車用ヘルメットの帽体に、前記ヘルメット側通信装置に接続されるループアンテナが内設されていることを特徴とする請求項１または２に記載の車両用盗難防止装置。
【請求項４】
前記車体側通信装置とヘルメット側通信装置との通信可能範囲の外側に取り付けられる降車時用の車体側通信装置を具備し、
前記制御部は、前記降車時用の車体側通信装置が前記ヘルメット側通信装置から発信される前記自動二輪車に固有の識別コードを含む信号を受信して前記識別コードが正しく照合されると、前記動力源の始動を禁止するように構成されていることを特徴とする請求項１ないし３のいずれかに記載の車両用盗難防止装置。
【請求項５】
前記車体側通信装置は、前記乗車用ヘルメットを着用した乗員が乗車した際に前記ヘルメット側通信装置と通信可能な位置に取り付けられ、
前記降車時用の車体側通信装置は、前記車体に設けられる収容位置に前記乗車用ヘルメットを配設した際に前記ヘルメット側通信装置と通信可能な位置に取り付けられていることを特徴とする請求項４に記載の車両用盗難防止装置。
【発明の詳細な説明】
【技術分野】
【０００１】
本発明は、車両用盗難防止装置に係り、特に、車両の乗員に乗車用ヘルメットの着用を促すことができる車両用盗難防止装置に関する。
【背景技術】
【０００２】
従来から、自動二輪車や四輪車等のメインキーに、各車両に固有のＩＤコードを記憶させたチップ等を内設し、車体側のキーシリンダにキーを差し込んだ時にＩＤコードの照合を行い、正しく照合されなければエンジンの始動を電気的に禁止するようにしたイモビライザが知られている。このイモビライザによれば、各車両の正規のキーでなければエンジンが始動できないので、形状のみを複製した合鍵による第三者の使用等を防ぐことが可能となる。
【０００３】
特許文献１には、メインキーに内設された通信装置から発信される応答信号を、車体側のキーシリンダのキー孔の周囲に配設されるアンテナで受信するようにしたイモビライザの構成が開示されている。
【０００４】
また、特許文献２には、通信装置を内設するメインキーに物理的な鍵部を設けず、メインキーと車体側の通信装置との通信によるＩＤコードの照合のみでエンジンが始動可能状態となるようにしたイモビライザの構成が開示されている。
【特許文献１】特開２００３−１２７８３３号公報
【特許文献２】特開２００４−１１４８３８号公報
【発明の開示】
【発明が解決しようとする課題】
【０００５】
しかしながら、特許文献１および２には、メインキーに内設される通信装置をメインキー以外の場所に配設することで、盗難防止効果以外の副次的効果を得ることに関しては、何らの開示および示唆もされていなかった。
【０００６】
本発明の目的は、上記した従来技術の課題を解決し、車両の乗員に乗車用ヘルメットの着用を促すことができる車両用盗難防止装置を提供することにある。
【課題を解決するための手段】
【０００７】
前記した目的を達成するために、本発明は、自動二輪車の車体に取り付けられる車体側通信装置と、乗車用ヘルメットに取り付けられるヘルメット側通信装置と、前記自動二輪車の動力源を運転制御する制御部とを具備し、前記車体側通信装置は、前記ヘルメット側通信装置から発信される前記自動二輪車に固有の識別コードを含む信号を受信し、前記制御部は、前記識別コードが正しく照合されることにより前記動力源の始動を許可するように構成されている点に第１の特徴がある。
【０００８】
また、前記ヘルメット側通信装置は、前記乗車用ヘルメットの帽体に内設されている点に第２の特徴がある。
【０００９】
また、前記乗車用ヘルメットの帽体に、前記ヘルメット側通信装置に接続されるループアンテナが内設されている点に第３の特徴がある。
【００１０】
また、前記車体側通信装置とヘルメット側通信装置との通信可能範囲の外側に取り付けられる降車時用の車体側通信装置を具備し、前記制御部は、前記降車時用の車体側通信装置が前記ヘルメット側通信装置から発信される前記自動二輪車に固有の識別コードを含む信号を受信して前記識別コードが正しく照合されると、前記動力源の始動を禁止するように構成されている点に第４の特徴がある。
【００１１】
さらに、前記車体側通信装置は、前記乗車用ヘルメットを着用した乗員が乗車した際に前記ヘルメット側通信装置と通信可能な位置に取り付けられ、
【００１２】
前記降車時用の車体側通信装置は、前記車体に設けられる収容位置に前記乗車用ヘルメットを配設した際に前記ヘルメット側通信装置と通信可能な位置に取り付けられている点に第５の特徴がある。
【発明の効果】
【００１３】
第１の発明によれば、車体側通信装置は、ヘルメット側通信装置から発信される自動二輪車に固有の識別コードを含む信号を受信し、制御部は、識別コードが正しく照合されることにより動力源の始動を許可するように構成されているので、エンジンの始動に乗車用ヘルメットが必要となり、これにより、自動二輪車の乗員に乗車用ヘルメットの着用を促すことが可能となる。また、乗車用ヘルメットを持って自動二輪車から降車した際には、エンジンの始動が許可されないので、自動二輪車の駐車時の盗難防止効果を得ることができるようになる。さらに、小型なキーに比して大型なヘルメットに通信装置が内設されているので、通信装置をうっかり紛失してしまう可能性を低減することが可能となる。
【００１４】
第２の発明によれば、ヘルメット側通信装置が乗車用ヘルメットの帽体に内設されているので、帽体の外側等に取り付けられる構成に比して、ヘルメット側通信装置に第三者がアクセスする可能性を大幅に低減することが可能となる。
【００１５】
第３の発明によれば、乗車用ヘルメットの帽体に、ヘルメット側通信装置に接続されるループアンテナが内設されているので、帽体の形状を利用して通信アンテナの送受信強度を高めることができるようになる。これにより、車体側通信装置との無線通信の信頼性をより高めることが可能となる。
【００１６】
第４の発明によれば、車体側通信装置とヘルメット側通信装置との通信可能範囲の外側に取り付けられる降車時用の車体側通信装置を具備し、制御部は、降車時用の車体側通信装置がヘルメット側通信装置から発信される自動二輪車に固有の識別コードを含む信号を受信して前記識別コードが正しく照合されると、動力源の始動を禁止するように構成されているので、降車時用の車体側通信装置の通信範囲内に乗車用ヘルメットを配設することにより、乗車用ヘルメットを車体に残して降車した際にも自動二輪車の盗難防止効果を得ることが可能となる。
【００１７】
第５の発明によれば、車体側通信装置は、乗車用ヘルメットを着用した乗員が乗車した際にヘルメット側通信装置と通信可能な位置に取り付けられ、降車時用の車体側通信装置は、車体に設けられる収容位置に乗車用ヘルメットを配設した際にヘルメット側通信装置と通信可能な位置に取り付けられているので、乗車時にはヘルメットの着用を促すことができると共に、ヘルメットホルダやラゲッジボックスのような収容位置に乗車用ヘルメットを収容して降車する際にも、自動二輪車の盗難防止効果を得ることが可能となる。
【発明を実施するための最良の形態】
【００１８】
以下、図面を参照して本発明の好ましい実施の形態について詳細に説明する。図１は、本発明の一実施形態に係る車両用盗難防止装置を適用した自動二輪車１の側面図である。自動二輪車１の車体フレーム２の前方には、前輪ＷＦが回転自在に軸支する左右一対のフロントフォーク３が、ハンドル４によって操舵可能に軸支されている。ハンドル４の前方には、メータユニット６が取り付けられた風防装置としてのフロントカウル５が配設されている。車体フレーム２には、自動二輪車１の動力源としてのエンジン８が載置され、その上方に燃料タンク７が配設されている。この燃料タンク７の後方には、乗員１００が着座するシート１０が取り付けられ、該シート１０の下部にはリヤカウル１１が配設されている。また、前記車体フレーム２の車体後方側には、駆動輪である後輪ＷＲを回転自在に軸支するスイングアーム９が揺動自在に取り付けられている。
【００１９】
本発明に係る車両用盗難防止装置は、乗員１００が乗車時に着用するヘルメット３０に内設されるヘルメット側通信装置としてのヘルメット側イモビライザユニット４０と、ハンドル４の上部に取り付けられる車体側通信装置としての車体側イモビライザユニット５０と、エンジン８の運転制御を行うエンジン制御部（図３参照）とから構成されている。本実施形態に係る車両用盗難防止装置では、乗員１００がエンジン８を始動するために主電源としてのメインスイッチ（不図示）を操作すると、車体側イモビライザユニット５０から通信電波が発信され、この通信電波を受信したヘルメット側イモビライザユニット４０から応答信号が発信されるように構成されている。なお、車体側イモビライザユニット５０は、車体側に設けられるキーシリンダと一体的に構成したり、フロントカウル５やメータユニット６の内部等に配設することができる。
【００２０】
図２は、前記ヘルメット３０の斜視図である。フルフェイス型のヘルメット３０は、乗員１００の頭部および顎部を覆う帽体３１と、帽体３１に開閉自在に取り付けられた無色または有色透明のシールド３２とから構成されている。そして、帽体３１の額部分には、前記自動二輪車１に固有の識別コードを記憶すると共に、前記車体側イモビライザユニット５０に前記識別コードを含む応答信号を発信するヘルメット側イモビライザユニット４０が内設されており、その周囲に通信用アンテナとしてのループアンテナ４５が配設されている。なお、通信用アンテナは、ループアンテナ４６のように帽体３１の外周面に沿って巻回させる形状として、送受信強度をさらに高めるようにしてもよい。
【００２１】
また、ヘルメットの帽体は、通常、樹脂等で形成される薄い外殻としてのシェルと、発泡スチロール等で形成される緩衝部材と、繊維等で形成される内装部材とから構成されており、ヘルメット側イモビライザユニット４０およびループアンテナ４５は、シェルや緩衝部材に埋設するように取り付けることができる。この構成によれば、ヘルメット側イモビライザユニット４０に第三者がアクセスする可能性を大幅に低減することが可能となる。なお、ヘルメット側イモビライザユニット４０には、充電池等による通信用の電源が備えられてもよい。
【００２２】
図３は、本実施形態に係る車両用盗難防止装置の構成を示すブロック図である。前記と同一符号は、同一または同等部分を示す。ヘルメット側イモビライザユニット４０は、個々の車両を認識する識別コードしてのＩＤコードが収納されるＩＤコード記憶部４１と、ＩＤコードを含む応答信号をループアンテナ４５を介して発信する送受信部４２を含む。また、車体側イモビライザユニット５０は、通信アンテナ５３を介してヘルメット側イモビライザユニット４０との無線通信を行う送受信部５２と、受信信号に含まれるＩＤコードの照合を行って正規のＩＤコードであるか否かを判定するＩＤコード認証部５１を含む。そして、このＩＤコード認証部５１による照合結果が、エンジン８の運転制御を行うエンジン制御部１２に伝達されることとなる。なお、車体側イモビライザユニット５０は、エンジン制御部１２と一体的に構成することも可能である。
【００２３】
前記したように、本実施形態に係る車両用盗難防止装置では、乗員１００が自動二輪車１のエンジン８を始動するために主電源としてのメインスイッチを操作すると、車体側イモビライザユニット５０から通信電波が発信され、この通信電波を受信したヘルメット側イモビライザユニット４０から、ＩＤコードを含む応答信号が発信されるように構成されている。そして、前記ＩＤコード認証部５１において応答信号に含まれるＩＤコードが正規のＩＤコードであることが判定されると、前記エンジン制御部１２に始動許可信号が発信されて、エンジン８の始動が可能な状態となる。また、前記ＩＤコードの照合が正しく行われない場合には、エンジン制御部１２が、主電源をオンに切り替えなかったり、点火装置や燃料噴射装置を駆動しないことで、エンジン８の始動が禁止されることとなる。
【００２４】
また、ヘルメット側イモビライザユニット４０と車体側イモビライザユニット５０との通信可能範囲は、所定の範囲（例えば、半径２ｍ）に設定されているので、ヘルメット３０が前記所定の範囲内に存在しない場合は、エンジン８を始動できないこととなる。したがって、ヘルメット３０を持って自動二輪車１から降車することで、乗員以外の第三者によるエンジン８の始動が防止されると共に、乗車時には乗員１００にヘルメット３０の着用を促すことが可能となる。また、小型なキーに比して大型なヘルメットに通信装置が内設されているので、通信装置をうっかり紛失してしまう可能性を低減することが可能となる。なお、ＩＤコード記憶部４１に収納されるＩＤコードの設定には、施錠または開錠されるたびに異なるＩＤコードを使用することで、第三者によるＩＤコードの解読を防止するローリングコード方式を適用することができる。
【００２５】
図４は、本発明の第２実施形態に係る車両用盗難防止装置を適用した自動二輪車１の斜視図である。前記と同一符号は、同一または同等部分を示す。本実施形態では、ハンドル４の近傍に取り付けられる車体側イモビライザユニット５０のほかに、降車時用の車体側イモビライザユニット６０が設けられている点に特徴がある。本実施形態に係る降車時用の車体側イモビライザユニット６０は、シート１０の下部に配設されており、ヘルメットホルダ１３を使用することでヘルメット３０が所定の収容位置に配設されると、ヘルメット３０内のヘルメット側イモビライザユニット（不図示）との通信が可能となる。そして、降車時用の車体側イモビライザユニット６０は、ヘルメット３０からの応答信号に含まれるＩＤコードが正しく照合されると、前記エンジン制御部１２（図３参照）にエンジン８の始動を禁止する信号を伝達するように構成されている。
【００２６】
上記したような構成により、乗員がヘルメット３０を着用して乗車する際には、車体側イモビライザユニット５０の通信可能範囲５０ａにヘルメット３０が存在することでエンジン８の始動が可能になると共に、ヘルメット３０を車体に固定して降車する際には、降車時用の車体側イモビライザユニット６０の通信可能範囲６０ａにヘルメット３０が存在することでエンジン８の始動が禁止されることとなる。すなわち、ヘルメット３０を車体に固定して降車した場合でも、エンジンの始動が禁止されて高い盗難防止効果を得ることが可能となる。なお、通信可能範囲５０ａ，６０ａは、互いに干渉しない範囲で任意に設定できる。
【００２７】
図５は、本発明の第２実施形態の変形例に係る車両用盗難防止装置を適用した自動二輪車７０の側面図である。スクータ型の自動二輪車７０には、車両前方側を軸として開閉可能なシート７１の下部に、ヘルメット３８，３９等の荷物を収容可能なラゲッジスペース７２が形成されている。そして、前記した降車時用の車体側イモビライザユニット６０を車体内部に配設することにより、自動二輪車１からの降車時にヘルメット３８やヘルメット３９を図示するような所定の収容位置に収容した際には、ヘルメット側イモビライザユニット（不図示）との無線通信が行われて、エンジンの始動を禁止することが可能となる。
【００２８】
図６は、本発明の第３実施形態に係る車両用盗難防止装置に使用されるヘルメットの斜視図である。ヘルメット側イモビライザユニット４０は、前記したフルフェイス型のほか、ジェット型やハーフ型ヘルメットに内設してもよい。本実施形態では、ジェット型とされるヘルメット３５の帽体の後頭部部分に、施錠可能な開閉式リッド３６を有する収納スペース３７が設けられており、ここにヘルメット側イモビライザユニット４０が着脱可能に収納されている。このような構成によれば、新調等でヘルメットを取り替える場合にも、ヘルメット側イモビライザユニット４０を移設することで同様のイモビライザ機能が得られるようになる。なお、収納スペース３７は、ヘルメット側イモビライザユニット４０をヘルメット３５の内装部材側から着脱できるように形成してもよい。
【００２９】
なお、上記したような車両用盗難防止装置は、鞍乗り型車両であるＡＴＶや、動力源をモータとする電気自動車等の種々の車両に適用可能である。また、ヘルメット側および車体側イモビライザユニットの配設位置は、ヘルメットおよび車両の形態に合わせて種々の変形が可能である。
【図面の簡単な説明】
【００３０】
【図１】本発明の一実施形態に係る車両用盗難防止装置を適用した自動二輪車の側面図である。
【図２】本実施形態に係る車両用盗難防止装置を適用したヘルメットの斜視図である。
【図３】本実施形態に係る車両用盗難防止装置の構成を示すブロック図である。
【図４】本発明の第２実施形態に係る車両用盗難防止装置を適用した自動二輪車の斜視図である。
【図５】本発明の第２実施形態の変形例に係る車両用盗難防止装置を適用した自動二輪車の側面図である。
【図６】本発明の第３実施形態に係る車両用盗難防止装置を適用したヘルメットの斜視図である。
【符号の説明】
【００３１】
１…自動二輪車、８…エンジン（動力源）、１２…エンジン制御部（制御部）、３０…ヘルメット、４０…ヘルメット側イモビライザユニット（ヘルメット側通信装置）、４１…ＩＤコード記憶部、４２…送受信部、４５…ループアンテナ（通信アンテナ）、５０…車体側イモビライザユニット（車体側通信装置）、５１…ＩＤコード認証部、５２…送受信部、５３…通信アンテナ
【図１】
2008179274.tif 000003
【図２】
2008179274.tif 000004
【図３】
2008179274.tif 000005
【図４】
2008179274.tif 000006
【図５】
2008179274.tif 000007
【図６】
2008179274.tif 000008